(57)【要約】【課題】ＨＤ  ＤＶＤ規格の再生性能を向上させ、コストを抑えることができるデータ再生装置を提供する。【解決手段】録画再生装置１の制御部１００は、ＨＤ  ＤＶＤ規格に準拠した光ディスク４から読出部１０１を介してアドバンスドデータ４２を取得し、記憶部１０６に予め設けていたファイルキャッシュ暗号文１０８に記憶させる。録画再生装置１は、予めアドバンスドデータ４２を取得するので、デコード等を高速に行うことができる。【選択図】図２
2009087424.tif 000002
【特許請求の範囲】
【請求項１】
画像データ、音声データ、及びアドバンスドデータを記憶する記憶媒体と、
前記記憶媒体に記憶された前記画像データ、前記音声データ、及び前記アドバンスドデータを読み出す読出部と、
第１の記憶領域を有する記憶部と、
前記アドバンスドデータを復号化する復号化部と、
前記記憶媒体から読み出した前記アドバンスドデータを前記第１の記憶領域に記憶させる制御部と、
を備えたことを特徴とするデータ再生装置。
【請求項２】
前記記憶媒体は、ＨＤ  ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｃ）規格に準拠し、前記アドバンスドデータを前記画像データ及び前記音声データとは別のディレクトリに記憶することを特徴とする請求項１に記載のデータ再生装置。
【請求項３】
前記読出部は、エラー訂正処理を行うことなく前記記憶媒体から前記画像データ、前記音声データ、及び前記アドバンスドデータを読み出すことを特徴とする請求項１に記載のデータ再生装置。
【請求項４】
前記制御部は、前記第１の記憶領域を前記記憶部に予め確保させることを特徴とする請求項１に記載のデータ再生装置。
【請求項５】
前記制御部は、前記第１の記憶領域に記憶された前記アドバンスドデータを前記復号化部に復号化させることを特徴とする請求項１に記載のデータ再生装置。
【請求項６】
前記記憶部は、第２の記憶領域を有し、
前記制御部は、前記復号化部によって復号化された前記アドバンスドデータを前記第２の記憶領域に記憶させることを特徴とする請求項１に記載のデータ再生装置。
【請求項７】
前記データ再生装置は、前記復号化部で復号化された前記アドバンスドデータを記憶するメモリを有し、
前記制御部は、前記メモリが断片化しているとき、前記メモリに記憶された前記アドバンスドデータの破棄、又は再配置を行うことを特徴とする請求項１に記載のデータ再生装置。
【請求項８】
前記データ再生装置は、記憶装置が接続される入力部を有し、
前記制御部は、前記第１の記憶領域を前記記憶装置に確保し、前記アドバンスドデータを記憶させることを特徴とする請求項１に記載のデータ再生装置。
【請求項９】
画像データ、音声データ、及びアドバンスドデータを記憶する記憶媒体と、
操作を受け付ける操作部と、
前記記憶媒体に記憶された前記画像データ、前記音声データ、及び前記アドバンスドデータを読み出す読出部と、
第１の記憶領域を有する記憶部と、
前記操作部に入力された前記操作に基づいて前記アドバンスドデータを前記第１の記憶領域に記憶させるか否かを選択する制御部と、
を備えたことを特徴とするデータ再生装置。
【請求項１０】
前記制御部は、前記操作部に入力された前記操作に基づいて前記記憶部に確保する前記第１の記憶領域の大きさを選択することを特徴とする請求項９に記載のデータ再生装置。
【発明の詳細な説明】
【技術分野】
【０００１】
本発明は、データの再生性能を向上させたデータ再生装置に関する。
【背景技術】
【０００２】
従来の技術として、ユーザによって再生停止を指示されたＤＶＤ（Ｄｉｇｉｔａｌ  Ｖｅｒｓａｔｉｌｅ  Ｄｉｓｃ）の再生停止位置から所定の区間のデータをＤＶＤから読み出して記憶する記憶部と、記憶部に記憶された所定の区間のデータを読み出して再生するよう制御する制御部とを備えた読み出し装置が知られている（例えば、特許文献１参照）。
【０００３】
この読み出し装置は、ユーザによって再生停止された再生停止位置からの再生が指示されたとき、制御部は、記憶部に記憶された所定の区間のデータからの再生を制御し、所定の区間に続くデータについてはＤＶＤから読み出すように制御する。記憶部からデータを読み込む方が、ＤＶＤからデータを読み込むよりも、読み込みの時間を短縮できるので、ＤＶＤ再生時の待ち時間の発生をより少なくすることができる。
【特許文献１】特開２００７−１９３８６４号公報
【発明の開示】
【発明が解決しようとする課題】
【０００４】
しかし、従来の読み出し装置で使用された方法を次世代の大容量記憶媒体であるＨＤ  ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｃ）規格の記憶媒体に対して用いた場合、所定の区間におけるデータを記憶部に記憶するためには、記憶部に大きな記憶領域を確保する必要がある。また別の問題として、ＨＤ  ＤＶＤ規格の記憶媒体に記憶されたデータをデコードするとき、多くの中間バッファが必要となるので、内部メモリを大量に消費し、製品コストが増大するという問題があった。
【０００５】
従って、本発明の目的は、ＨＤ  ＤＶＤ規格のデータの再生性能を向上させ、また、コストを抑えることが可能なデータ再生装置を提供することにある。
【課題を解決するための手段】
【０００６】
（１）本発明は上記目的を達成するため、画像データ、音声データ、及びアドバンスドデータを記憶する記憶媒体と、前記記憶媒体に記憶された前記画像データ、前記音声データ、及び前記アドバンスドデータを読み出す読出部と、第１の記憶領域を有する記憶部と、前記アドバンスドデータを復号化する復号化部と、前記記憶媒体から読み出した前記アドバンスドデータを前記第１の記憶領域に記憶させる制御部と、を備えたことを特徴とするデータ再生装置を提供する。
【０００７】
このような構成によれば、データの再生性能を向上させ、また、コストを抑えることができる。
【０００８】
（２）本発明は上記目的を達成するため、画像データ、音声データ、及びアドバンスドデータを記憶する記憶媒体と、操作を受け付ける操作部と、前記記憶媒体に記憶された前記画像データ、前記音声データ、及び前記アドバンスドデータを読み出す読出部と、第１の記憶領域を有する記憶部と、前記操作部に入力された前記操作に基づいて前記アドバンスドデータを前記第１の記憶領域に記憶させるか否かを選択する制御部と、を備えたことを特徴とするデータ再生装置を提供する。
【０００９】
このような構成によれば、ユーザによって記憶部を使用するか否かを選択することができる。
【発明の効果】
【００１０】
本発明によれば、ＨＤ  ＤＶＤ規格のデータの再生性能を向上させ、コストを抑えることができる。
【発明を実施するための最良の形態】
【００１１】
以下に、本発明のデータ再生装置の実施の形態を図面を参考にして詳細に説明する。
【００１２】
［実施の形態］
（録画再生装置の構成）
図１は、本発明の実施の形態に係る録画再生装置と表示装置の概略図であり、図２は、本発明の実施の形態に係る録画再生装置のブロック図である。
【００１３】
データ再生装置としての録画再生装置１は、図１に示すように、画像を表示する表示部２０を有する表示装置２と、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル３によって接続され、ＨＤ  ＤＶＤ規格に準拠した光ディスクを再生することができる。また、本体１０の正面には、電源をオン・オフする電源ボタン１１と、ＨＤ  ＤＶＤ規格に準拠した記憶媒体としての光ディスク４を読み出す読出部１０１と、ユーザの操作を受け付ける操作部１０３と、再生されたコンテンツデータ１０７の再生時間等を表示する表示部１１９と、を有している。
【００１４】
録画再生装置１は、図２に示すように、地上デジタルテレビジョン放送等をアンテナ１０２ａを介して受信するデジタルチューナ１０２と、図示しない記憶装置、及びチューナ等を接続することができる入力部１０４と、読出部１０１で読み出されたデータを後述するビデオデータ、オーディオデータ及びアドバンスドデータ等に分離するデータ分離部１０５と、一例としてＨＤＤ（Ｈａｒｄ  Ｄｉｓｋ  Ｄｒｉｖｅ）を用いた大容量記憶媒体であり、地上デジタルテレビジョン放送等のコンテンツをコンテンツデータ１０７として記憶する記憶部１０６と、記憶部１０６に確保された領域に記憶される第１の記憶領域としてのファイルキャッシュ暗号文１０８と、分離されたアドバンスドデータを一時的に記憶する中間バッファ１０９と、中間バッファ１０９に記憶されたアドバンスドデータを復号化する復号化部１１０と、復号化されたアドバンスドデータを一時的に記憶するメモリとしてのファイルキャッシュ平文１１１と、ファイルキャッシュ平文１１１に記憶された復号化されたアドバンスドデータをデコードするリソースデコーダ１１２と、データ分離部１０５で分離されたビデオデータが一時的に記憶されるビデオバッファ１１３と、ビデオバッファ１１３に記憶されたビデオデータをデコードするビデオデコーダ１１４と、データ分離部１０５で分離されたオーディオデータが一時的に記憶されるオーディオバッファ１１５と、オーディオバッファ１１５に記憶されたオーディオデータをデコードするオーディオデコーダ１１６と、リソースデコーダ１１２、ビデオデコーダ１１４及びオーディオデコーダ１１６によってデコードされたデータを一時的に記憶する出力バッファ１１７と、出力バッファ１１７に記憶されたデータを重畳して外部機器に出力する出力部１１８と、を備えて概略構成されている。
【００１５】
（読出部１０１について）
読出部１０１は、一例として、ＡＴＡ（Ａｄｖａｎｃｅｄ  Ｔｅｃｈｎｏｌｏｇｙ  Ａｔｔａｃｈｍｅｎｔ）接続のＤＶＤドライブで、ＰＣリード及びＡＶリードの２種類のデータ読出し方式を有している。本実施の形態における読出部１０１は、ＡＶリードを採用している。
【００１６】
ＨＤ  ＤＶＤ規格の光ディスク４は、後述するように、ビデオデータ、オーディオデータ及びアドバンスドデータ等を重畳したデータのみが記憶されているのではなく、アドバンスドデータだけが記憶されたディレクトリも記憶されている。重畳されたデータを用いるのか、分離されたアドバンスドデータを用いるのかは、光ディスク４を再生する再生装置で選択することが可能になっている。
【００１７】
しかし、ディレクトリ別に記憶されたデータを使用するとき、ユーザが指定した操作によっては、ドライブのピックアップの移動距離が大きくなる場合や、ディレクトリの構造によって、レーザー光の焦点を変更する必要が生じる場合等があり、その結果、データの読み出しまでの時間が掛かることが考えられ、例えば、読み出したメニューが表示されないなどの不具合を生じる恐れがある。
【００１８】
そこで従来のＨＤ  ＤＶＤ規格の録画再生装置では、上記の問題を回避するものとして、ビデオデータ、オーディオデータ及びアドバンスドデータ等が重畳された状態で読み出す方式を採用している。しかし、例えば、光ディスク４に傷があり、読み出しエラーになると、上記したディレクトリに記憶されたデータを読み込まなければならなくなり、再び上記の問題が生じる。そこで、従来の録画再生装置は、エラー訂正処理を行うＰＣリードによって光ディスク４からデータを読み出している。
【００１９】
しかし、エラー訂正処理は、光ディスク４からのデータ再読み出し等も併用されるので、再読み出しされている間は、データの供給が止まり、画像や音声が停止してしまう場合や、エラー訂正処理を行っても正常にデータの読み出しが行えない場合は、再生位置を飛ばしてデータの読み出しを行うことから、ユーザが、視聴していたシーンを連続的に視聴できない。
【００２０】
一方、ＡＶリードの場合は、エラー訂正処理は行わないので、一部のデータが読み出せない場合であっても、例えば、映像の一部が失われるだけで済むことが多く、映像が長い時間途切れることを防ぐことができる。
【００２１】
本実施の形態において、ＡＶリードで光ディスク４を読み出せるのは、光ディスク４から読み出したアドバンスドデータを記憶部１０６に設けたファイルキャッシュ暗号文１０８に記憶させることと、記憶部１０６にファイルキャッシュ暗号文１０８の記憶領域を確保することによる。従来の録画再生装置において、ファイルキャッシュ暗号文１０８の記憶領域を充分に確保するには、大容量の内部メモリを設けることが必要となり、コスト高になるからである。
【００２２】
（ファイルキャッシュ暗号文１０８について）
ファイルキャッシュ暗号文１０８は、著作権保護等のために暗号化されたアドバンスドデータを一時的に記憶するものであり、中間バッファ１０９は、復号化部１１０によって復号化されるとき、ファイルキャッシュ暗号文１０８から暗号化されたアドバンスドデータを受け取り、一時的に記憶する。
【００２３】
ファイルキャッシュ暗号文１０８は、記憶部１０６の空領域を割り当てて確保されるが、記憶部１０６の記憶容量（記憶領域）に十分余裕があるので、従来の内部メモリよりも安価で大きな記憶領域を確保することができる。ファイルキャッシュ暗号文１０８は、一例として、従来の内部メモリに対して３倍程度確保される。また、本実施の形態における記憶部１０６に使用されるＨＤＤは、データの読出し、及び書き込みが高速であるため、頻繁にデータを利用するデコード等を高速に行うことができ、録画再生装置１の光ディスク４の再生性能を向上させることができる。さらに、ファイルキャッシュ暗号文１０８は、大きな記憶領域を確保することができるので、データの断片化を防ぐことができ、断片化した中間バッファを経由することに伴う、処理負荷及び処理時間の増加を抑えることができる。
【００２４】
なお、ファイルキャッシュ暗号文１０８は、ユーザの選択によって記憶部１０６の一部を割り当てるか否かを選択できるようにしても良く、また、割り当てる記憶容量（記憶領域）の大きさをユーザに選択させるようにしても良い。ユーザに選択させることによって、ファイルキャッシュ暗号文１０８を記憶部１０６に割り当てたために、記憶部１０６の記憶容量（記憶領域）が減り、その結果、コンテンツを記憶できる空領域が減るということを回避することができる。
【００２５】
さらに、ファイルキャッシュ暗号文１０８は、ユーザの選択に基づいて入力部１０４に接続された記憶装置又は記憶媒体に記憶されても良い。
【００２６】
（ファイルキャッシュ平文１１１について）
図３及び図４は、本発明の実施の形態に係るリソースデータが記憶されたファイルキャッシュ平文の概略図である。図３は、リソースデータが、ファイルキャッシュ平文１１１内に残っている場合を表し、図４は、残っているリソースデータを再配置した場合について表しており、リソースデータとは、復号化されたアドバンスドデータを示している。
【００２７】
本実施の形態におけるリソースデータＡ〜Ｄ１１０ａ〜１１０ｄは、復号化部１１０によって復号化されたアドバンスドデータ、又は暗号化されずに光ディスク４に記憶されていたアドバンスドデータである。
【００２８】
図３に示すファイルキャッシュ平文１１１は、図２に示すリソースデコーダ１１２が処理を行うに伴い、リソースデータＡ〜Ｃ１１０ａ〜ｃが残り、不連続な空領域として第１〜第４の領域１１１ａ〜１１１ｄが発生した状態を表している。
【００２９】
従来は、リソースデータＤ１１０ｄを記憶するため、リソースデータＤ１１０ｄを分割して、第１〜第４の領域１１１ａ〜１１１ｄに記憶していたが、本実施の形態においては、リソースデータの破棄、又は再配置を行うことで、図４に示すように、断片化を防止し、デコードを高速に行うことが可能になる。リソースデコーダ１１２は、断片化したファイルキャッシュ平文１１１から読み出してデコードするとき、処理負荷及び処理時間が増加し、例えば、ユーザの操作に対する操作反応性が悪くなることがある。断片化を防止することによって、録画再生装置１の光ディスク４の再生性能を向上させることができる。
【００３０】
ここで、リソースデータの破棄による断片化の解消は、ファイルキャッシュ平文１１１にあるリソースデータＡ〜Ｃ１１１ａ〜１１１ｃを破棄し、ファイルキャッシュ暗号文１０８に記憶された暗号化されたリソースデータＡ〜Ｃ１１１ａ〜１１１ｃを再度読み出し、中間バッファ１０９を介して復号化部１１０によって再度復号化し、ファイルキャッシュ平文１１１に再配置することによって行われる。
【００３１】
また、リソースデータの再配置による断片化の解消は、ファイルキャッシュ平文１１１にあるリソースデータＡ〜Ｃ１１１ａ〜１１１ｃを記憶部１０６又はファイルキャッシュ暗号文１０８に記憶させ、ファイルキャッシュ平文１１１に再配置することによって行われる。これは、記憶部１０６からの読み出し及び書き込みが高速に行えることと、光ディスク４からの再読み出しを行わないことから実現できる。
【００３２】
（光ディスク４に記憶されたデータの構成）
図５は、本発明の実施の形態に係る光ディスクに記憶されたデータに関する概略図である。光ディスク４は、記録面４ａにビデオデータ４０、オーディオデータ４１、及びアドバンスドデータ４２が記録された構成を有する。
【００３３】
ビデオデータ４０は、エンコードされた画像データのことであり、オーディオデータ４１は、エンコードされた音声データのことである。
【００３４】
アドバンスドデータ４２は、再生制御を行うアプリケーションデータ、メニュー等の表示を行うために必要なグラフィックデータ及びフォントデータ、効果音等を出力するために必要なエフェクトオーディオデータ等から概略構成されており、暗号化されている場合と、暗号化されていない場合がある。
【００３５】
（動作）
以下に、本発明の実施の形態に係る録画再生装置の動作について、図１から図５を参照し、図６のフローチャートに従って詳細に説明する。一例として、ユーザが、初めて視聴する光ディスク４に記憶されたコンテンツの再生を行う場合について説明する。
【００３６】
ユーザは、ＨＤ  ＤＶＤ規格の光ディスク４を読出部１０１に挿入し（Ｓ１）、操作部１０３を操作して再生を指示する。
【００３７】
録画再生装置１の制御部１００は、読出部１０１が読み出した光ディスク４のデータに基づいて光ディスク４の規格を判断する。光ディスク４が、ＨＤ  ＤＶＤ規格の光ディスクであり、またアドバンスドデータ４２が暗号化されているとき（Ｓ２；Ｙｅｓ）、光ディスク４の該当するディレクトリからアドバンスドデータ４２を読出部１０１を介して取得し、予め記憶部１０６に確保していたファイルキャッシュ暗号文１０８に記憶させる（Ｓ３）。ここで、取得するアドバンスドデータ４２は、これから再生されるコンテンツに従って、光ディスク４の該当するディレクトリに記憶されている全部であっても、その一部であっても良い。
【００３８】
ここでステップ２において、アドバンスドデータ４２が暗号化されていないとき（Ｓ２；Ｎｏ）、制御部１００は、暗号化されていないアドバンスドデータ４２をファイルキャッシュ平文１１１に記憶させ（Ｓ４）、ステップ６に処理を進める。
【００３９】
続いて、制御部１００は、ファイルキャッシュ暗号文１０８に記憶されたアドバンスドデータ４２を中間バッファ１０９に送信する。
【００４０】
復号化部１１０は、中間バッファ１０９からアドバンスドデータ４２を読み出し、復号化する（Ｓ５）。
【００４１】
制御部１００は、復号化部１１０によって復号化されたアドバンスドデータ４２（図３におけるリソースデータＤ１１０ｄ）をファイルキャッシュ平文１１１に送信する。
【００４２】
ファイルキャッシュ平文１１１の空領域が、図３に示すように、第１〜第４の領域１１１ａ〜１１１ｄのように断片化し、復号化されたアドバンスドデータ４２（リソースデータＤ１１０ｄ）を連続領域に記憶できないとき、制御部１００は、図３に示すリソースデータＡ〜リソースデータＣ１１０ａ〜１１０ｃの破棄、又は、図４に示すようにリソースデータＡ〜リソースデータＣ１１０ａ〜１１０ｃをファイルキャッシュ平文１１１に再配置し、復号化されたアドバンスドデータ４２（リソースデータＤ１１０ｄ）を記憶できる連続領域を確保し、断片化を解消する。なお、ファイルキャッシュ平文１１１の空領域が、復号化されたアドバンスドデータ４２（リソースデータＤ１１０ｄ）を記憶するのに十分な連続領域を有しているとき、残っているリソースデータの破棄及び再配置は必要ない。
【００４３】
制御部１００は、図４に示すように、復号化されたアドバンスドデータ４２（リソースデータＤ１１０ｄ）を連続領域に記憶させ（Ｓ６）、リソースデータＡ〜リソースデータＤ１１０ａ〜１１０ｄをリソースデコーダ１１２によってデコードさせる（Ｓ７）。
【００４４】
リソースデコーダ１１２によってデコードされたリソースデータＡ〜リソースデータＤ１１０ａ〜１１０ｄは、制御部１００によって出力バッファ１１７に送信され、ユーザの操作、又は、必要なタイミングで出力部１１８から後述するデコードされたビデオデータ４０及びオーディオデータ４１と重畳されて出力される（Ｓ８）。
【００４５】
また、制御部１００は、光ディスク４からビデオデータ４０及びオーディオデータ４１が重畳されたデータを読出部１０１を介して取得し、データ分離部１０５に送信する。
【００４６】
データ分離部１０５は、送信されたデータをビデオデータ４０及びオーディオデータ４１に分離し、制御部１００は、ビデオデータ４０をビデオバッファ１１３に、オーディオデータ４１をオーディオバッファ１１５にそれぞれ送信する。
【００４７】
ビデオデコーダ１１４は、ビデオバッファ１１３からビデオデータ４０を読み出してデコードし、オーディオデコーダ１１６は、オーディオバッファ１１５からオーディオデータ４０を読み出してデコードする。
【００４８】
制御部１００は、デコードされたビデオデータ４０及びオーディオデータ４１を出力バッファ１１７、出力部１１８、及びＨＤＭＩケーブル３を介して表示装置２に送信する。
【００４９】
表示装置２は、受信したビデオデータ４０及びオーディオデータ４１に対して所定の処理を行い、ビデオデータ４０は、画像として表示部２０に表示され、オーディオデータ４１は、音声として図示しないスピーカーから出力される。
【００５０】
（効果）
本実施の形態によれば、録画再生装置１の内部メモリを削減することができるので、コストを抑えることが可能で、さらに、処理負荷及び処理時間の増加を抑えることができるので、ＨＤ  ＤＶＤ規格の光ディスク４に記憶されたコンテンツの再生性能を向上させることができる。
【００５１】
（変形例）
図７は、本発明の実施の形態に係る変形例を示すブロック図である。この録画再生装置１は、記憶部１０６にファイルキャッシュ暗号文１０８だけでなく、第２の記憶領域としてのファイルキャッシュ平文１１１を設ける領域を確保し、制御部１００とリソースデコーダ１１２の間に容量の小さい中間バッファ１２０を設けている点で、上記した実施の形態と異なっている。なお、ファイルキャッシュ暗号文１０８及びファイルキャッシュ平文１１１は、入力部１０４に接続された記憶装置又は記憶媒体に記憶されても良い。
【００５２】
（動作）
以下に、本発明の変形例に係る録画再生装置の動作について、図７を参照しながら詳細に説明する。上記した実施の形態の動作と同様に、初めて視聴する光ディスク４に記憶されたコンテンツの再生を行う場合について説明する。
【００５３】
ユーザは、ＨＤ  ＤＶＤ規格の光ディスク４を読出部１０１に挿入し、操作部１０３を操作して再生を指示する。
【００５４】
録画再生装置１の制御部１００は、読出部１０１が読み出した光ディスク４のデータに基づいて光ディスク４の規格を判断する。光ディスク４が、ＨＤ  ＤＶＤ規格の光ディスクであり、またアドバンスドデータ４２が、暗号化されているとき、光ディスク４の該当するディレクトリからアドバンスドデータ４２を読出部１０１を介して取得し、予め記憶部１０６に確保していたファイルキャッシュ暗号文１０８に記憶させる。ここで、取得するアドバンスドデータ４２は、これから再生されるコンテンツに従って、光ディスク４の該当するディレクトリに記憶されている全部であっても、その一部であっても良い。
【００５５】
ここで、アドバンスドデータ４２が、暗号化されていないとき、制御部１００は、暗号化されていないアドバンスドデータ４２を記憶部１０６に設けたファイルキャッシュ平文１１１に記憶させる。
【００５６】
続いて、制御部１００は、ファイルキャッシュ暗号文１０８に記憶されたアドバンスドデータ４２を中間バッファ１０９に送信する。
【００５７】
復号化部１１０は、中間バッファ１０９からアドバンスドデータ４２を読み出し、復号化する。
【００５８】
制御部１００は、復号化部１１０によって復号化されたアドバンスドデータ４２を記憶部１０６に設けたファイルキャッシュ平文１１１に送信する。
【００５９】
制御部１００は、上記した実施の形態と同様にファイルキャッシュ平文１１１に断片化があれば、断片化を解消し、中間バッファ１２０に復号化されたアドバンスドデータ４２を送信する。しかし、ファイルキャッシュ平文１１１は、記憶部１０６に大きな記憶領域を確保することができるので、断片化することは少なく、よって記憶させるデータの破棄及び再配置に伴う処理を減らすことができるので、断片化した中間バッファ１２０を経由することに伴う、処理負荷及び処理時間の増加を抑えることができる。
【００６０】
このとき、制御部１００は、中間バッファ１２０が断片化しているとき、断片化を解消してから、復号化されたアドバンスドデータ４２を中間バッファ１２０に記憶させる。
【００６１】
リソースデコーダ１１２は、中間バッファ１２０から復号化されたアドバンスドデータ４２を読み出してデコードを行う。
【００６２】
デコードされたアドバンスドデータ４２は、制御部１００によって出力バッファ１１７に送信され、ユーザの操作、又は、必要なタイミングで出力部１１８から後述するデコードされたビデオデータ４０及びオーディオデータ４１と重畳されて出力される。
【００６３】
また、制御部１００は、光ディスク４からビデオデータ４０及びオーディオデータ４１が重畳されたデータを読出部１０１を介して取得し、データ分離部１０５に送信する。
【００６４】
データ分離部１０５は、送信されたデータをビデオデータ４０及びオーディオデータ４１に分離し、制御部１００は、ビデオデータ４０をビデオバッファ１１３に、オーディオデータ４１をオーディオバッファ１１５にそれぞれ送信する。
【００６５】
ビデオデコーダ１１４は、ビデオバッファ１１３からビデオデータ４０を読み出してデコードし、オーディオデコーダ１１６は、オーディオバッファ１１５からオーディオデータ４０を読み出してデコードする。
【００６６】
制御部１００は、デコードされたビデオデータ４０及びオーディオデータ４１を出力バッファ１１７、出力部１１８、及びＨＤＭＩケーブル３を介して表示装置２に送信する。
【００６７】
表示装置２は、受信したビデオデータ４０及びオーディオデータ４１に対して所定の処理を行い、ビデオデータ４０は、画像として表示部２０に表示され、オーディオデータ４１は、音声として図示しないスピーカーから出力される。
【００６８】
（効果）
本実施の形態の変形例によれば、録画再生装置１のファイルキャッシュ平文１１１を記憶部１０６の空領域に確保することで、さらに、処理負荷及び処理時間の増加を抑えることができるので、ＨＤ  ＤＶＤ規格の光ディスク４に記憶されたコンテンツの再生性能を向上させることができ、また、内部メモリを削減することができるので、コストを抑えることができる。
【００６９】
上記した実施の形態及び変形例において、復号化部１１０、リソースデコーダ１１２、ビデオデコーダ１１４、オーディオデコーダ１１６及び出力部１１８が、直接記憶部１０６から所望するデータを読み出せる場合は、中間バッファ１０９、１２０、ビデオバッファ１１３、オーディオバッファ１１５及び出力バッファ１１７を記憶部１０６に設ける構成としても良い。
【００７０】
なお、本発明は、上記した実施の形態及び変形例に限定されず、本発明の技術思想を逸脱あるいは変更しない範囲内で種々の変形が可能である。また、上記した実施の形態及び変形例は、ハードウェアとして各部の動作を説明したが、ソフトウェアとして実現されても良く、また、ハードウェア及びソフトウェアを併用して実現されても良い。
【図面の簡単な説明】
【００７１】
【図１】本発明の実施の形態に係る録画再生装置と表示装置の概略図である。
【図２】本発明の実施の形態に係る録画再生装置のブロック図である。
【図３】本発明の実施の形態に係るリソースデータが記憶されたファイルキャッシュ平文の概略図である。
【図４】本発明の実施の形態に係るリソースデータが記憶されたファイルキャッシュ平文の概略図である。
【図５】本発明の実施の形態に係る光ディスクに記憶されたデータに関する概略図である。
【図６】本発明の実施の形態に係るフローチャートである。
【図７】本発明の実施の形態に係る変形例を示すブロック図である。
【符号の説明】
【００７２】
１…録画再生装置、２…表示装置、３…ＨＤＭＩケーブル、４…光ディスク、４ａ…記録面、１０…本体、１１…電源ボタン、２０…表示部、４０…ビデオデータ、４１…オーディオデータ、４２…アドバンスドデータ、１００…制御部、１０１…読出部、１０２…デジタルチューナ、１０２ａ…アンテナ、１０３…操作部、１０４…入力部、１０５…データ分離部、１０６…記憶部、１０７…コンテンツデータ、１０８…ファイルキャッシュ暗号文、１０９…中間バッファ、１１０…復号化部、１１０ａ〜１１０ｄ…リソースデータＡ〜Ｄ、１１１…ファイルキャッシュ平文、１１１ａ〜１１１ｄ…第１〜第４の領域、１１２…リソースデコーダ、１１３…ビデオバッファ、１１４…ビデオデコーダ、１１５…オーディオバッファ、１１６…オーディオデコーダ、１１７…出力バッファ、１１８…出力部、１１９…表示部、１２０…中間バッファ
【図１】
2009087424.tif 000003
【図２】
2009087424.tif 000004
【図３】
2009087424.tif 000005
【図４】
2009087424.tif 000006
【図５】
2009087424.tif 000007
【図６】
2009087424.tif 000008
【図７】
2009087424.tif 000009